(57)【要約】【課題】貯湯タンク内に温水がない場合でも、給湯や風呂の追い焚き、さらには暖房といった機能を使用できる、施工性および使用者へ利便性を高めた貯湯式給湯装置を提供する。【解決手段】貯湯タンク２と、給水経路８と、熱源機３と、熱源給水経路７と、熱源給水経路遮断手段４０と、暖房用熱交換器５または風呂用熱交換器４と、熱源機３で加熱された温水を暖房用熱交換器５または風呂用熱交換器４を経由して熱源給水経路遮断手段４０と熱源機３との間に位置する熱源給水経路７へ戻す温水循環経路１６と、温水を循環させる温水循環手段１８と、給湯経路１７と、熱源給水経路７へ給水するバイパス給水経路１５と、バイパス給水遮断手段４１と、を備え、貯湯タンク２に所定量の温水が貯まっていない状態で貯湯運転を行う場合、バイパス給水遮断手段４１を開くとともに、熱源給水経路遮断手段４０を閉じる構成の貯湯式給湯装置である。【選択図】図１
2010223533.tif 000002
【特許請求の範囲】
【請求項１】
貯湯タンクと、前記貯湯タンクへ給水する給水経路と、熱源機と、前記貯湯タンクの温水を前記熱源機へ送る熱源給水経路と、前記熱源給水経路を開閉可能に前記熱源給水経路に設けた熱源給水経路遮断手段と、熱交換器と、前記熱源機で加熱された温水を前記熱交換器を経由して前記熱源給水経路遮断手段と前記熱源機との間に位置する前記熱源給水経路へ戻す温水循環経路と、前記温水循環経路の温水を所定の方向へ循環させる温水循環手段と、前記温水循環経路より分岐され給湯栓へ温水を送る給湯経路と、前記熱源給水経路と前記熱源機との間に位置する前記熱源給水経路へ給水するバイパス給水経路と、前記バイパス給水経路を開閉可能に前記バイパス給水経路に設けたバイパス給水遮断手段と、を備え、前記貯湯タンクに所定量の温水が貯まっていない状態で貯湯運転を行う場合、前記バイパス給水遮断手段を開くとともに、前記熱源給水経路遮断手段を閉じる貯湯式給湯装置。
【請求項２】
前記貯湯タンクに所定量の温水が貯まっていない状態で貯湯運転を行う場合、前記バイパス給水遮断手段と前記熱源給水経路遮断手段は、自動的に開閉動作を行う請求項１に記載の貯湯式給湯装置。
【請求項３】
前記バイパス給水経路は前記給水経路から分岐しており、前記給水経路は前記給水経路における前記バイパス給水経路の分岐点と前記貯湯タンクとの間に、前記給水経路を流れる流水を止める給水遮断手段を備える請求項１または２に記載の貯湯式給湯装置。
【請求項４】
前記貯湯タンクの異常を検出する異常検出手段を備え、前記異常検出手段が前記貯湯タンクの異常を検出した場合、前記給水遮断手段は、自動的に開閉動作を行う請求項３に記載の貯湯式給湯装置。
【発明の詳細な説明】
【技術分野】
【０００１】
本発明は、ガス発電、燃料電池などの発電により発生した排熱を貯湯タンクに貯湯し、貯湯タンクに貯湯した温水を、給湯、風呂の追い焚きや暖房に使用する貯湯式給湯装置に関する。
【背景技術】
【０００２】
近年、ガス発電、燃料電池などの発電により発生した排熱を貯湯タンクに貯湯し、給湯、風呂の追い焚きや暖房に使用することを目的とした貯湯式給湯装置が開発されている。
【０００３】
従来、この種の貯湯式給湯装置としては、貯湯タンクに貯湯されている温水が給湯や風呂の追い焚き、あるいは暖房機が必要とする温水温度よりも低い場合、熱源機により貯湯タンクの温水を加熱し、給湯などに使用する例が開示されている（例えば、特許文献１参照）。
【０００４】
図５に示すように、特許文献１の貯湯式給湯装置は、貯湯タンク１４０の下部から発電ユニット１５０に送られた温水を発電ユニット１５０が発電することにより発生した排熱により熱回収用熱交換器１５４で加熱して、貯湯タンク１４０の天井部へ戻す構成である。そして、貯湯タンク１４０の天井部から貯湯された温水は、使用者の要求に応じて、貯湯タンク１４０の天井部に接続された給湯経路１４６や、バーナ循環経路１７６に送られ、給湯や風呂の追い焚き、あるいは暖房に使用される。
【０００５】
このとき、貯湯タンク１４０に貯湯されている温水の温度が、給湯や暖房に必要とされる温水温度より低い場合、貯湯タンク１４０からバーナ部１６８へ温水が送られ、バーナ部１６８で加熱された温水が暖房用熱交換器１１４を経由し、貯湯タンク１４０の天井部へ戻している。これにより、貯湯タンク１４０内に貯湯されている温水の温度が、給湯などに必要とされる温水温度よりも低い場合でも、給湯や暖房などの複数の機能を使用できるため、使用者の利便性を損なうことがないとしている。
【特許文献１】特開２００８−５１３８３号公報
【発明の開示】
【発明が解決しようとする課題】
【０００６】
しかしながら、上記従来の構成では、常に貯湯タンク１４０に貯湯されている温水を使用して給湯などを行う構成となっている。そのため、貯湯タンク１４０内に湯水が所定量貯湯されていない場合、給湯や風呂の追い焚き、さらには暖房といった機能を使用できない。特に、使用者宅へ機器を設置した直後などにおいては、貯湯タンク１４０内に所定量の湯水が貯湯されるまで、給湯、風呂や暖房といった機能の試運転を行うことができないという課題があった。そのため、試運転が完了して、使用者が給湯などを使用できるまでに、時間を要していた。
【０００７】
本発明は、上記従来の課題を解決するもので、貯湯タンク内に所定量の湯水が貯まっていない場合でも、給湯や風呂の追い焚き、さらには暖房といった機能を使用できる、施工性および使用者への利便性を高めた貯湯式給湯装置を提供することを目的とする。
【課題を解決するための手段】
【０００８】
上記従来の課題を解決するために、本発明の貯湯式給湯装置は、貯湯タンクから熱源機に温水を送る経路とは別に、熱源機へ送る給水経路を設けて、貯湯タンクに湯水が所定量貯湯されていない場合に、貯湯タンクから熱源機へ温水を送る経路とは別の給水経路によ
り熱源機へ給水し、熱源機で加熱された温水を使用して給湯などを行う構成としたものである。
【０００９】
この構成により、貯湯タンクに所定量の湯水が貯まっていない場合でも、給湯、風呂の追い焚きや暖房などの機能が使用できる。また、機器設置直後の試運転時などにおいて、貯湯タンクに所定量の湯水が貯湯されていない場合でも、給湯などの試運転を行える。その結果、施工時間の短縮が図れる施工性と、利便性に優れる貯湯式給湯装置を実現できる。
【発明の効果】
【００１０】
本発明の貯湯式給湯装置によれば、貯湯タンク内に所定量の湯水が貯まっていない場合でも給湯などが使用できるとともに、施工性や利便性を高めることができる。
【発明を実施するための最良の形態】
【００１１】
第１の発明は、貯湯タンクと、貯湯タンクへ給水する給水経路と、熱源機と、貯湯タンクの温水を熱源機へ送る熱源給水経路と、熱源給水経路を開閉可能に熱源給水経路に設けた熱源給水経路遮断手段と、熱交換器と、熱源機で加熱された温水を熱交換器を経由して熱源給水遮断手段と熱源機との間に位置する熱源給水経路へ戻す温水循環経路と、温水循環経路の温水を所定の方向へ循環させる温水循環手段と、温水循環経路より分岐され給湯栓へ温水を送る給湯経路と、熱源給水経路と熱源機との間に位置する熱源給水経路へ給水するバイパス給水経路と、バイパス給水経路を開閉可能にバイパス給水経路に設けたバイパス給水遮断手段と、を備え、貯湯タンクに所定量の温水が貯まっていない状態で貯湯運転を行う場合、バイパス給水遮断手段を開くとともに、熱源給水経路遮断手段を閉じる貯湯式給湯装置である。
【００１２】
これにより、貯湯タンクに所定量の湯水が貯まっていない場合でも、給湯、風呂の追い焚きや暖房などの機能が使用できる。また、機器設置直後の試運転時などにおいて、貯湯タンクに所定量の湯水が貯湯されていない場合でも、給湯などの試運転を行える。その結果、施工時間の短縮が図れる施工性と、利便性に優れる貯湯式給湯装置を実現できる。
【００１３】
第２の発明は、第１の発明において、貯湯タンクに所定量の温水が貯まっていない状態で貯湯運転を行う場合、バイパス給水遮断手段と熱源給水遮断経路手段は、自動的に開閉動作を行う。つまり、貯湯タンクに温水が貯湯されていない状態では、自動的に貯湯タンクから熱源機への温水の供給を遮断する。そして、貯湯タンクより熱源機へ温水を送る経路とは別の、熱源機へ給水する経路により熱源機への給水を行う。これにより、湯式給湯装置設置直後の試運転時などにおいて、給水遮断手段を施工者が操作することなく試運転を行うことができるため、施工性が向上するとともに、省力化を図ることができる。
【００１４】
第３の発明は、第１または第２の発明において、バイパス給水経路は給水経路から分岐しており、給水経路は給水経路におけるバイパス給水経路の分岐点と貯湯タンクとの間に、給水経路を流れる流水を止める給水遮断手段を備える。つまり、貯湯タンクの排水を伴うメンテナンス時などにおいて、貯湯タンクへの給水と貯湯タンクから熱源機への給水を遮断する。さらに、貯湯タンクより熱源機へ温水を送る経路とは別の、熱源機へ給水する経路からの熱源機への給水を行う。これにより、貯湯タンクに貯湯されている温水が排水されている場合でも、給湯などを行うことができ、使用者の利便性を高めることができる。
【００１５】
第４の発明は、第３の発明において、貯湯タンクの異常を検出する異常検出手段を備え、異常検出手段が貯湯タンクの異常を検出した場合、給水遮断手段は、自動的に開閉動作を行う。つまり、貯湯タンクの異常を検出した場合、自動的に貯湯タンクへの給水と貯湯
タンクから熱源機への給水を遮断する。さらに、貯湯タンクより熱源機へ温水を送る経路とは別の、熱源機へ給水する経路からの熱源機への給水を行う。これにより、貯湯タンクに異常が発生しても、給湯などの機能を停止させることなく使用できるため、使用者の利便性を高めることができる。
【００１６】
以下、本発明の実施の形態について図面を参照しながら説明するが、従来例で説明した構成と同一構成については同一符号を付して、その詳細な説明は省略する。なお、この実施の形態によってこの発明が限定されるものではない。
【００１７】
（実施の形態１）
以下に、本発明の実施の形態１における貯湯式給湯装置について、図面を用いて説明する。
【００１８】
図１は、本発明の実施の形態１における貯湯式給湯装置の構成図である。
【００１９】
図１に示すように、貯湯式給湯装置は、基本構成として、ガス発電や燃料電池などの発電を行う発電装置１で発生する排熱を回収した温水を貯湯する貯湯タンク２と、貯湯タンク２に貯湯された温水が給湯などに必要な温水温度より低い場合に、貯湯された温水を加熱する熱源機３を少なくとも備えている。そして、貯湯式給湯装置は、熱交換器などを介して、給湯栓６、風呂や暖房機器などに接続されている。ここで、発電装置１は、排熱回収用熱交換器２０、排熱循環ポンプ２１を備えている。
【００２０】
以下に、図１を参照しながら、貯湯式給湯装置の動作と、湯水の流れる経路について説明する。
【００２１】
まず、発電装置１は、排熱循環ポンプ２１を駆動することにより貯湯タンク２内部の温水を、貯湯タンク２の下部に接続された排熱回収循環往路２２を経由し、排熱回収用熱交換器２０に送る。このとき、排熱回収用熱交換器２０に送られた温水は、発電装置１の発電により発生する排熱を排熱回収用熱交換器２０で回収して加熱される。そして、排熱回収用熱交換器２０で加熱された温水は、排熱回収循環復路２３を経由し貯湯タンク２の上部に戻される。
【００２２】
また、熱源機３は、従来の給湯器と同様に、バーナ３１と熱交換器３２とを備え、供給される温水が給湯や風呂の追い焚き、さらには暖房といった貯湯運転に必要とされる温水の温度より低い場合に、ガスや石油などの燃料を燃焼させて、温水を加熱する。
【００２３】
このとき、貯湯タンク２に所定量の温水が貯湯されている状態で、使用者が給湯栓６を開いて給湯を行うと、給水経路８に接続されている給水水量検出手段である給水水量センサ１０が水の流れを検知して、貯湯ユニットコントローラ１１へ信号を送る。これにより、貯湯ユニットコントローラ１１は、給湯が行われているか否かを判断する。
【００２４】
また、貯湯ユニットコントローラ１１が、給湯が行われていると判断された場合、貯湯タンク２に貯湯された温水は、貯湯タンク２の上部に接続された熱源給水経路７と、熱源機３と、温水循環経路１６を経由し、温水循環経路１６より分岐された給湯経路１７に送られる。そして、給水経路８より分岐され、給湯経路１７に接続された給湯給水経路９より送られる水道水と混合され、給湯栓６へと導かれる。
【００２５】
なお、給湯栓６へ導かれる温水と水道水との混合水量の割合は、リモコン１２より送られる使用者が要求する給湯温度の信号および給湯経路１７に取り付けられた第１給湯サーミスタ５０の温度信号、給水経路８に取り付けられた給水サーミスタ５１の温度信号、温
水循環経路１６に取り付けられた温水循環サーミスタ５２の温度信号、さらには給水水量センサ１０の検出水量により、貯湯ユニットコントローラ１１で混合される水量配分が調整される。このとき、貯湯ユニットコントローラ１１は、熱源機３の最大加熱能力範囲内で、給湯栓６へ導かれる混合された温水の温度が使用者の要求する給湯温度となるように給湯水量制御１３および給水水量制御１４を制御する。
【００２６】
さらに、熱源給水経路７に取り付けられた熱源給水サーミスタ６０は、貯湯タンク２の上部から熱源機３に送られる温水の温度を検出する。そして、貯湯タンク２の上部から熱源機３に送られる温水の温度が、使用者が要求する給湯温度以上の場合、熱源機３で温水を加熱運転せずに、貯湯ユニットコントローラ１１で制御して、供給する。逆に、貯湯タンク２上部から熱源機３に送られる温水の温度が、使用者が要求する給湯温度により低い場合、熱源機３で加熱運転を行うよう貯湯ユニットコントローラ１１で制御して、供給する。
【００２７】
また、使用者がリモコン１２を操作することにより、貯湯ユニットコントローラ１１が暖房または風呂の追い焚きの信号を受けた場合、まず、温水循環経路１６に設けた温水循環手段１８である温水循環ポンプを駆動させる。なお、以下では、温水循環手段１８を温水循環ポンプ１８と記して説明する。そして、貯湯ユニットコントローラ１１の受けた信号が、風呂の追い焚きの場合、風呂用熱交換器４の下流側の風呂温水循環経路１９に設けた風呂用電磁弁２５を開く。これにより、貯湯タンク２の上部に接続された熱源給水経路７に、貯湯タンク２に貯湯されている温水が流出する。そして、熱源給水経路７へ流出した温水は、熱源機３を経由して、温水循環経路１６または風呂温水循環経路１９を流れ、暖房用熱交換器５または風呂用熱交換器４により熱交換される。さらに、暖房用熱交換器５または風呂用熱交換器４により熱交換された温水は、熱源給水経路７へ戻される。このとき、貯湯タンク２に貯湯されている温水が、風呂の追い焚きや暖房で必要とされる温水の温度より低い場合、貯湯タンク２の上部より送られる温水を熱源機３で加熱し、温水循環経路１６へ加熱した温水を送る。
【００２８】
上記で説明したように、貯湯タンク２に温水がある場合に、給湯、風呂の追い焚きや暖房などの貯湯運転を行う場合は、貯湯タンク２の上部から熱源機３へ送られる温水を遮断するために熱源給水経路７に備えられた開閉可能な熱源給水経路遮断手段４０である熱源給水遮断弁を開状態として、貯湯タンク２の上部から熱源機３へ温水を送ることが可能にしている。なお、以下では、熱源給水経路遮断手段を熱源給水遮断弁４０と記して説明する。また、給水経路８より分岐され熱源機３への給水を行うためのバイパス給水経路１５は、その経路中に備えられた開閉可能なバイパス給水遮断手段４１であるバイパス給水遮断弁を閉状態として、給水経路８から熱源機３への給水が遮断されている。なお、以下では、バイパス給水遮断手段をバイパス給水遮断弁４１と記して説明する。
【００２９】
また、湯式給湯装置設置直後など、貯湯タンク２に所定量の温水が貯湯されていない状態で貯湯運転を行う場合、熱源給水経路７に設けた熱源給水遮断弁４０と、バイパス給水経路１５に設けたバイパス給水遮断弁４１を閉状態として、貯湯タンク２から熱源機３への流れを遮断し、給水経路８から熱源機３への給水を許容する。このとき、使用者が給湯栓６を開くと、給水経路８からバイパス給水経路１５を経由して、熱源機３へ水が供給される。そして、熱源機３へ送られた水は、熱源機３で加熱され、温水循環経路１６を経由して給湯経路１７へ送られる。
【００３０】
さらに、風呂の追い焚きや暖房を行う場合には、まず、温水循環経路１６に設けた温水循環手段である温水循環ポンプ１８を駆動させる。このとき、貯湯ユニットコントローラ１１の受けた信号が、風呂の追い焚きの場合、風呂用熱交換器４の下流側の風呂温水循環経路１９に設けた風呂用電磁弁２５を開き、熱源機３に温水を送る。そして、熱源機３を
経由した温水は、温水循環経路１６を流れて、風呂用熱交換器４または暖房用熱交換器５で熱交換された後、熱源給水経路７へ送られ、再度、熱源機３に導かれる。
【００３１】
このとき、熱源機３に設けられている温度検出手段である熱源入水サーミスタ４２は、熱源機３へ給水される温水の温度を検出する。そして、熱源入水サーミスタ４２で検出される温度が、風呂の追い焚きや暖房に必要とされる温水の温度より低い場合、熱源機３の加熱運転を行うように貯湯ユニットコントローラ１１で制御する。逆に、風呂の追い焚きや暖房に必要とされる温水の温度より高い場合、熱源機３の加熱運転を行わないように貯湯ユニットコントローラ１１で制御する。
【００３２】
また、貯湯タンク２の天井部に接続された排出経路３０は、貯湯タンク２の内部の気体を抜く、開閉可能な空気抜き弁２４を備えている。そして、空気抜き弁２４を開状態とすることにより、給水経路８から貯湯タンク２へ給水を行うとともに、貯湯タンク２へ温水の貯湯を行いながら、上述した貯湯運転を行うことができる。
【００３３】
本発明の実施の形態によれば、貯湯タンク２に所定量の温水がない場合でも、給水経路８、バイパス給水経路１５を介して、熱源機３に給水して熱源機３で加熱された温水を使用して、給湯、風呂の追い焚きや暖房を行うことができる。また、湯式給湯装置設置直後の試運転時などにおいて、貯湯タンク２に所定量の温水が貯湯されていない状態でも、給湯などの試運転を行うことができる。その結果、施工時間の短縮が図れる施工性と、利便性に優れる貯湯式給湯装置を実現できる。
【００３４】
（実施の形態２）
以下に、本発明の実施の形態２における貯湯式給湯装置について、図面を用いて説明する。
【００３５】
図２は、本発明の実施の形態２における貯湯式給湯装置の構成図である。
【００３６】
図２に示すように、本実施の形態の貯湯式給湯装置は、熱源給水経路７と温水循環経路１６の合流点より貯湯タンク２側の熱源給水経路７に貯湯タンク２から熱源機３へ送られる温水の水量を検出する手段である熱源給水流量センサ２９と、貯湯タンク２の湯水の満水状態を検出する手段である満水検出電極３３を備えている点で、実施の形態１とは異なる。他の構成は、実施の形態１の貯湯式給湯装置と同様であるので、説明を省略する。
【００３７】
そこで、以下では、本実施の形態のポイントである熱源給水流量センサ２９と満水検出電極３３の動作について、主に説明する。
【００３８】
すなわち、機器設置直後など貯湯タンク２に所定量の温水が貯湯されていない場合、満水検出電極３３の信号により貯湯タンク２が満水状態でないと貯湯ユニットコントローラ１１によって判断される。そして、貯湯ユニットコントローラ１１は、熱源給水経路７に設けた熱源給水遮断弁４０を閉状態とし、バイパス給水経路１５に設けたバイパス給水遮断弁４１を開状態に制御する。さらに、貯湯タンク２の天井部に接続された排出経路３０に設けられた空気抜き弁２４が開状態となることによって、給水経路８から貯湯タンク２へ給水が行われ、貯湯タンク２へ温水の貯湯を行いながら、給湯、風呂の追い焚きや暖房などの貯湯運転を行うことができる。
【００３９】
一方、給水経路８より給水された湯水により貯湯タンク２が満水状態となると、満水検出電極３３より貯湯ユニットコントローラ１１に信号が送られる。そして、貯湯ユニットコントローラ１１は、熱源給水遮断弁４０を開状態とし、バイパス給水経路１５に設けたバイパス給水遮断弁４１を閉状態に制御する。さらに、空気抜き弁２４が閉状態となるこ
とによって、貯湯タンク２から熱源機３へ温水が導かれ、給水経路８からバイパス給水経路１５を経由する熱源機３への給水を止める。これにより、貯湯タンク２に貯湯された温水を使用して、給湯、風呂の追い焚きや暖房などの貯湯運転を行うことができる。
【００４０】
本実施の形態によれば、貯湯タンク２に所定量の温水が貯湯されていない場合でも、自動的に貯湯タンク２から熱源機３への温水の供給を遮断し、給水経路８よりバイパス給水経路１５を経由して熱源機３へ給水を行うことができる。また、湯式給湯装置設置直後の試運転時などにおいて、施工者が熱源給水遮断弁４０やバイパス給水遮断弁４１を操作することなく試運転を行うことができる。その結果、施工時間の短縮が図れる施工性と、利便性に優れる貯湯式給湯装置を実現できる。
【００４１】
（実施の形態３）
以下に、本発明の実施の形態３における貯湯式給湯装置について、図面を用いて説明する。
【００４２】
図３は、本発明の実施の形態３における貯湯式給湯装置の構成図である。
【００４３】
図３に示すように、本実施の形態の貯湯式給湯装置は、貯湯タンク２へ給水される湯水を導く給水経路８とバイパス給水経路１５との分岐点より貯湯タンク２側の給水経路８に、貯湯タンク２への給水を遮断する手段であるタンク給水遮断弁３９を備えている点で、実施の形態１とは異なる。他の構成は、実施の形態１の貯湯式給湯装置と同様であるので、説明を省略する。
【００４４】
そこで、以下では、本実施の形態のポイントであるタンク給水遮断弁３９の動作について、主に説明する。
【００４５】
すなわち、通常、施工者やメンテナンス担当者の判断により貯湯タンク２への給水を遮断する場合、タンク給水遮断弁３９を閉状態とする。そして、熱源給水経路７に設けた熱源給水遮断弁４０を閉状態とし、バイパス給水経路１５に設けたバイパス給水遮断弁４１は開状態する。これにより、貯湯タンク２への給水と、貯湯タンク２から熱源機３への流れを遮断し、給水経路８から熱源機３への給水を可能にする。
【００４６】
上記状態で、使用者が給湯栓６を開くと、給水経路８からバイパス給水経路１５を経由して、熱源機３へ水が供給され、熱源機３で加熱される。その後、加熱された温水は、温水循環経路１６を経由して給湯経路１７に送られる。
【００４７】
そして、風呂の追い焚きや暖房を行う場合、温水循環経路１６に設けた温水循環手段である温水循環ポンプ１８を駆動させる。そのとき、貯湯ユニットコントローラ１１の受けた信号が風呂の追い焚きの場合、風呂用熱交換器４の下流側の風呂温水循環経路１９に設けた風呂用電磁弁２５が開き、熱源機３に湯水が送られる。その後、熱源機３を経由した湯水は温水循環経路１６を流れ、風呂用熱交換器４または暖房用熱交換器５で熱交換され、熱源給水経路７へ送られる。そして、熱源給水経路７へ送られた湯水は、再度、熱源機３に導かれる。
【００４８】
本実施の形態によれば、貯湯タンク２の排水を伴うメンテナンス時などにおいて、貯湯タンク２に貯湯されている温水が排水されている状態において、給湯などの貯湯運転を行うことができる。これにより、使用者の利便性を高めた貯湯式給湯装置を実現できる。
【００４９】
（実施の形態４）
以下に、本発明の実施の形態４における貯湯式給湯装置について、図面を用いて説明す
る。
【００５０】
図４は、本発明の実施の形態４における貯湯式給湯装置の構成図である。
【００５１】
図４に示すように、本実施の形態の貯湯式給湯装置は、貯湯タンク２からの水漏れを検知する異常検出手段である漏水センサ４５を備えている点で、実施の形態３とは異なる。そして、貯湯ユニットコントローラ１１は、漏水センサ４５の信号に基づいて、貯湯式給湯装置の貯湯タンク２の異常を判断して制御するものである。なお、他の構成は、実施の形態３の貯湯式給湯装置と同様であるので、説明を省略する。
【００５２】
そこで、以下では、本実施の形態のポイントである漏水センサ４５に基づく、異常判断動作について、主に説明する。
【００５３】
まず、貯湯タンク２からの水漏れを漏水センサ４５が検知すると、漏水センサ４５から貯湯ユニットコントローラ１１へ信号が送られる。
【００５４】
つぎに、貯湯ユニットコントローラ１１が、貯湯タンク２が異常状態であると判断した場合、使用者に異常を知らせるために、リモコン１２へ異常である旨を表示する。同時に、貯湯ユニットコントローラ１１は、タンク給水遮断弁３９と熱源給水遮断弁４０を閉状態とし、バイパス給水経路１５に設けたバイパス給水遮断弁４１は開状態とする制御を行う。これにより、貯湯タンク２への給水と、貯湯タンク２から熱源機３への流れを遮断し、給水経路８からバイパス給水経路１５を経由して熱源機３への給水を可能にする。
【００５５】
本実施の形態によれば、貯湯タンク２の水漏れなどの異常が発生した場合、貯湯ユニットコントローラ１１の判断により、自動的に貯湯タンク２への給水と貯湯タンク２から熱源機３への給水を遮断する。同時に、給水経路８よりバイパス給水経路１５を経由して熱源機３へ給水する。これにより、貯湯タンク２の異常により貯湯タンク２への給水を遮断した場合でも、給湯などの運転を行うことができる。また。異常をリモコンに表示することで、使用者に異常を知らせ、早急な対応を可能にできる。その結果、使用者の利便性を高めるとともに、安全性や信頼性に優れた貯湯式給湯装置を実現できる。
【産業上の利用可能性】
【００５６】
本発明の貯湯式給湯装置によれば、貯湯タンクに温水がない場合でも、給湯、風呂の追い焚きや暖房が使用できるため、ガス発電や燃料電池を用いたコジェネレーションなどの技術分野において有用である。
【図面の簡単な説明】
【００５７】
【図１】本発明の実施の形態１における貯湯式給湯装置の構成図
【図２】本発明の実施の形態２における貯湯式給湯装置の構成図
【図３】本発明の実施の形態３における貯湯式給湯装置の構成図
【図４】本発明の実施の形態４における貯湯式給湯装置の構成図
【図５】従来の貯湯式給湯装置の構成図
【符号の説明】
【００５８】
１  発電装置
２  貯湯タンク
３  熱源機
４  風呂用熱交換器
５  暖房用熱交換器
６  給湯栓
７  熱源給水経路
８  給水経路
９  給湯給水経路
１０  給水水量センサ（給水水量検出手段）
１１  貯湯ユニットコントローラ
１２  リモコン
１３  給湯水量制御
１４  給水水量制御
１５  バイパス給水経路
１６  温水循環経路
１７  給湯経路
１８  温水循環ポンプ（温水循環手段）
１９  風呂温水循環経路
２０  排熱回収用熱交換器
２１  排熱循環ポンプ
２２  排熱回収循環往路
２３  排熱回収循環復路
２４  空気抜き弁
２５  風呂用電磁弁
２９  熱源給水流量センサ
３０  排出経路
３１  バーナ
３２  熱交換器
３３  満水検出電極（タンク満水状態検出手段）
３９  タンク給水遮断弁（給水遮断手段）
４０  熱源給水遮断弁（熱源給水経路遮断手段）
４１  バイパス給水遮断弁（バイパス給水遮断手段）
４２  熱源入水サーミスタ（温度検出手段）
４５  漏水センサ（水漏れ検出手段）
５０  第１給湯サーミスタ
５１  給水サーミスタ
５２  温水循環サーミスタ
６０  熱源給水サーミスタ
【図１】
2010223533.tif 000003
【図２】
2010223533.tif 000004
【図３】
2010223533.tif 000005
【図４】
2010223533.tif 000006
【図５】
2010223533.tif 000007